(57)【要約】【課題】  見栄えが良く、棚板上を広く使えて物が置きやすい飾り棚を提供する。【解決手段】  棚板１０と、棚板を保持しつつ壁面Ｗに固定される棚板固定部材２０とを備え、棚板固定部材は壁面へ固定される固定部２１と、棚板の長手方向側部を上下から狭持する押さえ部２２及び受け部２３とを備え、棚板上面１５には押さえ部上面３５と略面一となるように切り欠き部１１を設ける。【選択図】      図３
2006141440.tif 000002
【特許請求の範囲】
【請求項１】
棚板と、前記棚板を保持しつつ壁面に固定される棚板固定部材とを備え、
前記棚板固定部材は、壁面へ固定される固定部と、前記棚板の長手方向側部を上下から狭持する押さえ部及び受け部とを備え、
前記棚板上面には、前記押さえ部上面と略面一となるように切り欠き部が設けられている、飾り棚。
【請求項２】
前記押さえ部には、前記棚板を留め付ける固着部が設けられるとともに、該固着部を隠蔽するカバー材が配置され、
該カバー材、と棚板の各上面が略面一とされている、請求項１に記載の飾り棚。
【請求項３】
前記棚板固定部材の両端には、端部キャップが取り付けられているとともに、前記カバー材が前記押さえ部の略全長にわたり設けられている場合において、
前記端部キャップは、その全体が前記カバー材の下面側に配置されたときに、前記カバー材との位置的干渉が生じることのないよう、該位置的干渉が生じる部位を折り取ることができるように構成されている、請求項２に記載の飾り棚。
【請求項４】
前記棚板２枚が突き合わせられてコーナー部において平面視「Ｌ」字型に配置され、前記２枚の棚板を保持する棚板固定部材それぞれの前記コーナー部の端部に取り付けられている前記端部キャップのうち、少なくとも一の端部キャップの前記位置的干渉が生じる部位が折り取られ、前記カバー材が該一の端部キャップの上方に配置されることにより、一の前記カバー材先端側部に他の前記カバー材の先端が当接されて配置されている、請求項３に記載の飾り棚。
【発明の詳細な説明】
【技術分野】
【０００１】
本発明は、室内壁面等に取り付けられる飾り棚に関する。
【背景技術】
【０００２】
従来、住宅室内の壁面等に、飾り棚を取り付け、人形、時計、焼き物等の小物を飾って、インテリアの一部として室内を飾ることが行われている。例えば特許文献１には、カウンタを、カウンタレールを介して壁面に取り付けるインテリアカウンタの取り付け構造であって、カウンタを保持するカウンタレールは、カウンタと同一もしくは略同一幅であって、壁面への当接固定部には、カウンタ上面を当接保持する押え片部とともにカウンタ下面を当接保持する支持部とを有し、カウンタレールの押え片部と支持部とにより上下面が挟持されたカウンタがカウンタレールの支持部から壁面に向かって斜め方向へのビス止めにより取り付け固定されていることを特徴とするインテリアカウンタの取り付け構造、が開示されている。特許文献１に開示されている発明にかかる構造によれば、カウンタの保持力を向上させ、かつ、利便性、美観性をも向上させることのできる新しいインテリアカウンタの取り付け構造を提供することが可能であるとされている。
【特許文献１】特開２００４−１９４９２２号公報
【発明の開示】
【発明が解決しようとする課題】
【０００３】
しかし、特許文献１に開示されている構造によれば、カウンタレールの押さえ片部と棚板上面との間に段差が生じているため、美観上、見栄えが良くなく、また、棚板上に物を置きにくいという問題があった。
【０００４】
そこで、本発明は、見栄えが良く、棚板上を広く使えて物が置きやすい飾り棚を提供することを課題とする。
【課題を解決するための手段】
【０００５】
以下、本発明について説明する。なお、本発明の理解を容易にするために添付図面の参照符号を括弧書きにて付記するが、それにより本発明が図示の形態に限定されるものではない。
【０００６】
請求項１に記載の発明は、棚板（１０）と、棚板を保持しつつ壁面（Ｗ）に固定される棚板固定部材（２０）とを備え、棚板固定部材は壁面へ固定される固定部（２１）と、棚板の長手方向側部を上下から狭持する押さえ部（２２）及び受け部（２３）とを備え、棚板上面（１５）には押さえ部上面（３５）と略面一となるように切り欠き部（１１）が設けられている飾り棚（１００）により前記課題を解決する。
【０００７】
請求項２に記載の発明は、請求項１に記載の飾り棚において、押さえ部（２２）には棚板（１０）を留め付ける固着部（２４ａ、２５ａ）が設けられるとともに、該固着部を隠蔽するカバー材（３０）が配置され、該カバー材、押さえ部、及び棚板の各上面が略面一とされていることを特徴とする。
【０００８】
請求項３に記載の発明は、請求項２に記載の飾り棚において、棚板固定部材の両端には、端部キャップ（５０、６０）が取り付けられているとともに、カバー材（３０）が押さえ部（２２）の略全長にわたり設けられている場合において、端部キャップはその全体がカバー材の下面側に配置されたときに、カバー材との位置的干渉が生じることのないよう、該位置的干渉が生じる部位（５２、５５）を折り取ることができるように構成されていることを特徴とする。
【０００９】
請求項４に記載の発明は、請求項３に記載の飾り棚において、棚板２枚が突き合わせられてコーナー部において平面視「Ｌ」字型に配置され、２枚の棚板を保持する棚板固定部材それぞれのコーナー部の端部に取り付けられている端部キャップのうち、少なくとも一の端部キャップの位置的干渉が生じる部位が折り取られ、カバー材が一の端部キャップの上方に配置されることにより、一のカバー材先端側部に他のカバー材の先端が当接されて配置されていることを特徴とする。
【発明の効果】
【００１０】
請求項１の発明によれば、棚板上面は、押さえ部上面と略面一となるように形成されているので、飾り棚の奥行き方向に広く面積を確保することができ、さらに見た目にもすっきりした印象を与えることができるという意匠上の利点がある。
【００１１】
請求項２の発明によれば、押さえ部は室内の例えば壁に固定され、その押さえ部に棚板が固着部により留め付けられているので、棚板上に物を安定的に載置することができる。また固着部がカバー材に隠蔽され、棚板上面全体が略面一とされているので、見た目にすっきりした印象を与えることができるという意匠上の利点が保たれる。
【００１２】
請求項３の発明によれば、カバー材と位置的に干渉する部位の端部キャップが折り取り可能とされているので、必要に応じて上記部位を折り取ることによって、カバー材と端部キャップとの位置的関係の自由度を高めることができる。また、端部キャップは、必要により折り取り可能に構成されているので、棚板が一枚で構成されているときは、折り取り可能部を折り取らずに使用し、一方で、例えば下記請求項４にあるように、棚板が「Ｌ」字型に構成されている場合には、必要に応じて折り取って使用することもでき、一つの構造のキャップを両者に兼用することが可能となる。
【００１３】
請求項４の発明によれば、カバー材と位置的に干渉する部位の端部キャップが折り取られているので、棚板をコーナー部に「Ｌ」字型に配置した際に、一方のカバー材の先端側部に他方のカバー材の先端部を当接させることができ、これにより隙間を生じることなく、二つのカバー材を配置することができる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は、第一実施形態にかかる飾り棚を示す分解斜視図である。図示の飾り棚１００は、棚板１０と、棚板１０を保持しつつ壁面Ｗに固定される棚板固定部材２０とを備えている。棚板１０は、その長手方向側部が棚板固定部材２０に把持されている。棚板固定部材２０の両端近傍には、孔２４、２５が設けられている。棚板１０のそれらに対応する位置にも孔１２、１３が設けられている。これらの孔２４、１２；２５、１３に固着部２４ａ、２５ａ（固着部２４ａのみ図２、及び図３に表されている。）が差し入れられて、棚板１０と棚板固定部材２０との位置関係が一意に決せられている。棚板固定部材２０の上面には、カバー材３０が取り付けられている。カバー材３０は、棚板固定部材２０のほぼ全長にわたり取り付けられている。カバー材３０により、上記固着部が隠蔽されている。なお、本実施形態においてカバー材３０は、固着部を隠蔽していれば良く、必ずしも棚板固定部材２０の全長にわたって設ける必要はない。例えば、左右の固着部のそれぞれに対応した、２つのピースのカバー材として構成しても良い。
【００１７】
棚板固定部材２０の左右の端部には端部キャップ５０、６０が取り付けられている。図面左側に示されている端部キャップ５０と、右側の端部キャップ６０とは、それらの形状が互いに鏡像の関係にある。
【００１８】
図２（Ａ）はカバー材３０の垂直断面を示す図である。また、図２（Ｂ）は棚板固定部材２０の垂直断面を示す図で、これに仮想線（鎖線）にて、カバー材３０が取り付けられた状態が同時に示されている。
【００１９】
カバー材３０は、平板３５と、平板３５の下面側長手方向両側に下方に向けて延設された脚部３１、３２とを備えている。
【００２０】
一方、棚板固定部材２０は、壁面Ｗへ固定される固定部２１と、棚板１０の長手方向側部を上下から狭持する押さえ部２２及び受け部２３とを備えている。押さえ部２２の上面側には、長手方向全長にわたり両側部に腕部２６、２７が上方に向けて延設されている。カバー材３０における脚部３１、３２の外側間距離は、押さえ部２２における腕部２６、２７の内側間距離よりわずかに小さく設けられている。また、脚部３１、３２の先端近傍外側、及び腕部２６、２７の高さ方向略中央内側には、それぞれ返しが形成されている。かかる構成により、押さえ部２２の上面に、カバー材３０を、長手方向に摺動可能に取り付けることができる。
【００２１】
受け部２３は、上方の押さえ部２２に対向するように配置された、受け面２３ａと、受け面２３ａを下側から斜めに支える斜行面２３ｂとからなり、これら受け面２３ａ及び斜行面２３ｂと、固定部２１の下部の面とにより、外殻の断面形状が三角形の水平筒状部２３ｃを形成している。
【００２２】
押さえ部２２の下面中央には長手方向にリブ２９が、受け部２３の受け面２３ａの上面先端側には長手方向にリブ２８が設けられている。リブ２９は、図面右上方向から棚板１０の側部先端をやや下げるようにして、押さえ部２２と受け部２３との間に挿入できるように傾斜が付けられている。リブ２８、２９を設けることにより、棚板１０を棚板固定部材２０に取り付けた際に、棚板固定部材側とは反対側にあたる棚板１０の先端部が下がって、棚板１０全体が先下がりとなり、載置台としての機能に不都合が生じないようにされている。なお必要により、以下において説明する図３についても参照されたい。
【００２３】
図３は、第一実施形態にかかる飾り棚１００の垂直断面を示す図である。棚板上面１５には切り欠き部１１が設けられている。この切り欠き部１１が形成された部位が、押さえ部２２と受け部２３との間に差し入れられ、固定されている。上記した押さえ部２２の下面に形成されたリブ２９と、受け部２３上面先端部に形成されたリブ２８により、棚板１０が先端方向（図面右方向）に下向きに傾斜しないようにされている。さらに棚板１０の左端１４が受け部２３上面のストッパ３９に当接しない程度に、切り欠き部１１の紙面左右方向の長さが決められている。従って、棚板１０の上面１５と押さえ部２２の右腕部２７との間に隙間が生じることがない。さらに、押さえ部２２上に配置されているカバー材３０の平板３５上面と、棚板１０の上面１５とは面一とされている。従って、飾り棚１００の奥行き方向に広く面積を確保することができ、さらに見た目にもすっきりした印象を与えることができるという意匠上の利点がある。
【００２４】
図５（Ａ）は、端部キャップを示す斜視図である。図５（Ａ）に示す端部キャップ５０は、図１に示されている端部キャップ５０と同一のものであり、異なる視点から示されたものである。端部キャップ５０は、受け部２３の断面三角形状の水平筒状部２３ｃへ挿入される嵌入部５３と、嵌入部５３の側方に立設された下部端面閉鎖壁５１と、その上方にさらに立設された上部端面閉鎖壁５２と、水平筒状部２３ｃの上方に下部端面閉鎖壁５１と直交する方向に立設された固定部当接璧５４と、さらに上部端面閉鎖壁５２から水平方向に延設された押さえ部当接璧５５とを備えている。下部端面閉鎖壁５１と上部端面閉鎖壁５２との間には、上部端面閉鎖壁５２を折り取ることができるように、水平方向にスリット５６が形成されている。これについては後に説明する。
【００２５】
棚板固定部材２０の水平筒状部２３ｃの端部側から端部キャップ５０の嵌入部５３を挿入して押し込むと、棚板固定部材２０の長さ方向端部が下部端面閉鎖壁５１と、その上方の上部端面閉鎖壁５２とに当接される。そして水平筒状部２３ｃの空洞は下部端面閉鎖壁５１により隠蔽され、外部からは見えなくなる。一方、固定部当接璧５４は固定部２１の璧Ｗに当接されている面とは反対側の面に当接され、さらに、押さえ部当接璧５５は、押さえ部２２の下面側に当接される。また、上部端面閉鎖壁５２、下部端面閉鎖壁５１により形成される「コ」の字状の湾入部には、棚板１０の切り欠き部１１の側面が露出される。しかして、端部キャップ５０、６０を装着することにより、飾り棚１００の意匠性がより高められる。
【００２６】
図４は、第二実施形態にかかる飾り棚を示す分解斜視図である。図示の第二実施形態にかかる飾り棚２００は、一対の第一実施形態にかかる飾り棚１００、１００を部屋のコーナー部に適用するため、棚板１０それぞれの一端側を約４５度の角度に切り落として、両者をつき合わせて「Ｌ」字型に配置したものである。各部材の構成は基本的に図１において説明したものと同様であるので、図１において使用したものにＡ、Ｂを付して図示し、それらの説明は省略する。
【００２７】
かかる配置において問題となるのは、コーナー部におけるカバー材の処理である。すなわち、単に棚板１０それぞれの一端側を約４５度の角度に切り落として、両者をつき合わせて「Ｌ」字型に配置しただけでは、図７（Ａ）に示すとおり、コーナー部に欠落部Ｈができてしまい、棚板としての機能上、また美観上きわめて不都合である。そこで本発明ではかかる不都合を以下の手段により解決している。
【００２８】
図５は、端部キャップ５０を示す斜視図である。上記したとおり、端部キャップ５０の下部端面閉鎖壁５１と上部端面閉鎖壁５２との間には、上部端面閉鎖壁５２を折り取ることができるように、水平方向にスリット５６が形成されている。図５（Ｂ）は、スリット５６に沿って、上部端面閉鎖壁５２を折り取った端部キャップ５０Ｂを示している。端部キャップ５０Ｂでは、上部端面閉鎖壁５２と同時に押さえ部当接璧５５も取り除かれている。
【００２９】
図６は、図４において、鎖線で囲まれた円内を拡大して示す斜視図である。本実施形態においては、右側に配置された棚板１０Ｂの左端部キャップ５０Ｂの上部端面閉鎖壁５２と押さえ部当接璧５５が取り除かれており、その上方にカバー材３０Ｂが紙面左上方に向けて延設配置されている。
【００３０】
端部キャップ５０をかかる形状の端部キャップ５０Ｂとすることにより、押さえ部２２の上面に長手方向に摺動可能に取り付けられているカバー材３０をさらに端部方向に移動させて、端部キャップの上方さらに先方に配置することが可能となる。かくして、一部が折り取られた端部キャップ５０Ｂにより、図７（Ｂ）に示すように、カバー材３０Ｂが端部キャップ５０Ｂの上方のさらに先まで移動可能となり、欠落部Ｈをカバー材３０Ｂにより覆うことができる。これにより、ものの載置台としての機能に優れ、意匠的にも価値の高い飾り棚２００を構成することが可能となる。
【００３１】
さらに本実施形態の変形例として、図７（Ｃ）に示すように、カバー材３０Ａ、３０Ｂそれぞれの長手方向一端側を約４５度の角度に切り落とし、これらをコーナー部において突き合わせて配置しても良い。かかる場合には、端部キャップ６０Ａ、５０Ｂのいずれも上部端面閉鎖壁５２を除去する必要がある。
【００３２】
次に、本発明の飾り棚１００、２００を構成する部材の材料について簡単に説明する。なお、本発明は各部材を特に限定するものではない。棚板１０は、例えば木質の集成材により形成することができる。無垢の一枚板にて形成してもよい。また、木目調の樹脂材や、アクリル、ポリカーボネート等の透明樹脂パネルを利用しても良い。棚板固定部材２０は、アルミニウムやスチールの押し出し材で形成することが、作製の手間やコスト上の観点から好ましい。カバー材３０は、例えば、アルミニウムやスチールの押し出し材、あるいは樹脂の成形品として構成できる。端部キャップ５０、６０は、樹脂成形品、あるいはアルミ等金属の鋳造品にて形成することができる。
【００３３】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う飾り棚もまた本発明の技術的範囲に包含されるものとして理解されなければならない。
【図面の簡単な説明】
【００３４】
【図１】第一実施形態にかかる飾り棚を示す分解斜視図である。
【図２】（Ａ）はカバー材の垂直断面、（Ｂ）は棚板固定部材の垂直断面を示す図である。
【図３】第一実施形態にかかる飾り棚の垂直断面を示す図である。
【図４】第二実施形態にかかる棚板を示す分解斜視図である。
【図５】端部キャップを示す斜視図である。
【図６】図４において、鎖線で囲まれた円内を拡大して示す斜視図である。
【図７】コーナー部におけるカバー材の処理を示す図である。
【符号の説明】
【００３５】
Ｈ  欠落部
Ｗ  壁面
１０  棚板
１１  切り欠き部
１２、１３  孔
１４  端面
１５  棚板上面
２０  棚板固定部材
２１  固定部
２２  押さえ部
２３  受け部
２３ａ  受け面
２３ｂ  斜行面
２３ｃ  水平筒状部
２４、２５  孔
２４ａ、２５ａ  固着部
２６、２７  腕部
２８  リブ
２９  リブ
３０  カバー材
３１、３２  脚部
３５  平板
３９  ストッパ
５０、６０  端部キャップ
５１  下部端面閉鎖壁
５２  上部端面閉鎖壁(位置的干渉が起きる部位)
５３  篏入部
５４  固定部当接壁
５５  押さえ部当接壁(位置的干渉が起きる部位)
５６  スリット
１００、２００  飾り棚
５００  端部キャップ
【図１】
2006141440.tif 000003
【図２】
2006141440.tif 000004
【図３】
2006141440.tif 000005
【図４】
2006141440.tif 000006
【図５】
2006141440.tif 000007
【図６】
2006141440.tif 000008
【図７】
2006141440.tif 000009